(57)【要約】【課題】通気性に優れ、ベランダ、バルコニー、テラスなどで使用する場合に、これらの場所が雨水などで濡れていたり、水たまりになっていても、その水が足底部に設けた貫通孔から容易に浸入することなく、使用者の足裏を濡らしてしまうというようなことはなく、しかも履き心地の良いスリッパを提供する。【解決手段】足底部１の上面１ａに形成された上方開口３ａより、足底部１の下面１ｂに形成された下方開口３ｂを大きくした複数の貫通孔３を足底部１に設けたものとしている。【選択図】図８
0003147171.tif 000002
【実用新案登録請求の範囲】
【請求項１】
足底部（１）の上面（１ａ）に形成された上方開口（３ａ）より、足底部（１）の下面（１ｂ）に形成された下方開口（３ｂ）を大きくした複数の貫通孔（３）を足底部（１）に設けたことを特徴とするスリッパ。
【請求項２】
前記足底部（１）をヒールアップしたことを特徴とする請求項１記載のスリッパ。
【請求項３】
前記貫通孔（３）を上方開口（３ａ）から下方開口（３ｂ）にかけて徐々に大きく形成したことを特徴とする請求項１または２記載のスリッパ。
【請求項４】
前記貫通孔（３）の上方開口（３ａ）を横長孔とすると共に、下方開口（３ｂ）を横長孔として、上方開口（３ａ）を下方開口（３ｂ）の１／２〜１／３の面積にしたことを特徴とする請求項１〜３のいずれかに記載のスリッパ。
【請求項５】
前記貫通孔（３）を足底部（１）の幅方向に略等間隔に複数個を平行に配して設けたことを特徴とする請求項１〜４のいずれかに記載のスリッパ。
【請求項６】
前記貫通孔（３）の上方開口（３ａ）を、角を無くした横長円としたことを特徴とする請求項１〜５のいずれかに記載のスリッパ。
【請求項７】
前記足底部（１）の下面（１ｂ）に、外周縁部（４）を残して凹部（５）を形成し、この凹部（５）に前記下方開口（３ｂ）が形成されるようにし、前記周縁部（４）に、前記下方開口（３ｂ）から前記足底部（１）の両側面にかけて排水溝（６）を形成したことを特徴とする請求項１〜６のいずれかに記載のスリッパ。
【考案の詳細な説明】
【技術分野】
【０００１】
この考案は、ベランダ、バルコニー、テラスなどで使用するのに適したスリッパに関するものである。
【背景技術】
【０００２】
従来、室内用の上履きに使用するスリッパとしては、例えば図９、１０に示したように、足底部１１の甲布１２に覆われている部分に、小径の打抜き孔１３を設けたものが存在する。そして、前記打抜き孔１３の径は任意であるが、大体５〜７ｍｍ程度が適当であり、また打抜き孔１３の数も任意であるが、必要以上に多数では感触が悪く２〜４個位が適当であるとしている。（特許文献１）
さらに、バルコニーやテラスで使用するスリッパとしては、例えば図１１、１２に示したように、足底部２１の全面にわたって、主に２〜３ｃｍ角の四角孔２２を多数に設けたものが存在する。そして、前記四角孔２２の上部２３を、丸みを帯びた断面形状にしている。（特許文献２）
【特許文献１】実公平３−３９０４３号公報（第１図、第２図）
【特許文献２】実開昭６２−１１６９０２号公報（第１図、第２図）
【考案の開示】
【考案が解決しようとする課題】
【０００３】
しかしながら、上記従来の特許文献１に示されたスリッパは、通気性という点では優れているが、ベランダ、バルコニー、テラスなどで使用する場合に、これらの場所が雨水などで濡れていたり、水たまりになっているときは、その水が足底部１１に設けた打抜き孔１３から容易に浸入し、使用者の足裏を濡らしてしまうという課題を有していた。
【０００４】
さらに、上記従来の特許文献２に示されたスリッパは、通気性に優れ、雨が降ってスリッパが濡れても中に水がたまることないので、バルコニーに年中放置してもよいとしているが、このスリッパを使用する場合には、バルコニーが雨水などで濡れていたり、水たまりになっているときは、その水が足底部２１に設けた四角孔２２から浸入し、使用者の足裏を濡らしてしまうという課題を有していた。
【０００５】
また、上記従来の特許文献２に示されたスリッパは、水捌けを良くするために、前記四角孔２２の上部２３を、丸みを帯びた断面形状にしているが、それでも四角孔２２の角が使用者の足裏に当たるので、足裏が痛かったり、足裏に四角孔２２の跡が残ったりしたり、履き心地が良くないという課題を有していた。
【０００６】
そこで、この考案は、上記従来の課題を解決するものであり、通気性に優れ、ベランダ、バルコニー、テラスなどで使用する場合に、これらの場所が雨水などで濡れていたり、水たまりになっていても、その水が足底部に設けた貫通孔から容易に浸入することなく、使用者の足裏を濡らしてしまうというようなことはなく、しかも履き心地の良いスリッパを提供することを目的としてなされたものである。
【課題を解決するための手段】
【０００７】
そのため、この考案のスリッパは、足底部１の上面１ａに形成された上方開口３ａより、足底部１の下面１ｂに形成された下方開口３ｂを大きくした複数の貫通孔３を足底部１に設けたものとしている。
【０００８】
そして、この考案のスリッパは、前記足底部１をヒールアップしたものとしている。
【０００９】
さらに、この考案のスリッパは、前記貫通孔３を上方開口３ａから下方開口３ｂにかけて徐々に大きく形成したものとしている。
【００１０】
また、この考案のスリッパは、前記貫通孔３の上方開口３ａを横長孔とすると共に、下方開口３ｂを横長孔として、上方開口３ａを下方開口３ｂの１／２〜１／３の面積にしたものとしている。
【００１１】
さらに、この考案のスリッパは、前記貫通孔３を足底部１の幅方向に略等間隔に複数個を平行に配して設けたものとしている。
【００１２】
また、この考案のスリッパは、前記貫通孔３の上方開口３ａの横長孔を、角を無くした横長円としている。
【００１３】
さらに、この考案のスリッパは、前記足底部１の下面１ｂに、外周縁部４を残して凹部５を形成し、この凹部５に前記下方開口３ｂが形成されるようにし、前記周縁部４に、前記下方開口３ｂから前記足底部１の両側面にかけて排水溝６を形成したものとしている。
【考案の効果】
【００１４】
この考案のスリッパは、以上に述べたように構成されているので、通気性に優れており、使用者の足裏が蒸れるなどということがなく、ベランダ、バルコニー、テラスなどで使用する場合に、これらの場所が雨水などで濡れていたり、水たまりになっていても、その水が足底部に設けた貫通孔から容易に浸入することなく、使用者の足裏を濡らしてしまうというようなことはなく、しかも履き心地の良いものなる。
【考案を実施するための最良の形態】
【００１５】
以下、この考案のスリッパを実施するための最良の形態を、図面に基づいて詳細に説明する。
【００１６】
この考案のスリッパは、図に示したように、使用者の足の裏で踏まれる足底部１と、使用者の足の甲が保持される足甲部２から構成している。
【００１７】
前記足底部１は、ＥＶＡなどの合成樹脂からなり、使用者の踵部に位置する部分を、使用者の足先から土踏まずに至る部分の２〜６倍の厚さにし、ヒールアップしたものとしている。図示したものでは、例えば使用者の足先から土踏まずに至る部分の厚さを１〜２ｃｍとし、使用者の踵部に位置する部分の厚さを４〜６ｃｍとしている。
【００１８】
そして、前記足底部１には、上方開口３ａより下方開口３ｂを大きくした複数の貫通孔３を設けたものとしている。前記貫通孔３は、上方開口３ａから下方開口３ｂにかけて徐々に大きく形成したものとしている。図示したものでは、前記上方開口３ａを幅２〜３ｍｍの横長孔とし、下方開口３ｂを幅６〜９ｍｍの横長孔として、上方開口３ａを下方開口３ｂの１／２〜１／３の面積にした貫通孔３を、足底部１の幅方向に５〜１０ｍｍの間隔をあけて、略等間隔に複数個を平行に配して設けたものとしている。なお、前記貫通孔３の上方開口３ａおよび下方開口３ｂのうち、少なくとも上方開口３ａは、角を無くした横長円とするのが好ましい。
【００１９】
なお、前記足底部１の上面１ａは、前記上方開口３ａが形成され、上方開口３ａの部分以外を略平面にし、使用者の足裏に沿うようにしている。前記足底部１の下面１ｂは、外周縁部４を残して凹部５を形成し、この凹部５に前記下方開口３ｂが形成されるようにし、前記周縁部４には、前記下方開口３ｂから前記足底部１の両側面にかけて排水溝６を形成したものとしている。
【００２０】
このようにすることにより、上方開口３ａから入った水は下方開口３ｂ側へ流れ易くなり、下方開口３ｂから凹部５へ流されると共に、排水溝６を経てスリッパの外方へ流されるので、水捌けが非常に良いものとなる。さらに、前記足底部１の下面１ｂに形成した凹部５の存在により下方開口３ｂに水が入り難くなり、下方開口３ｂに水が入ってしまった場合も、その水は上方開口３ａ側に流れ難くなり、使用者の足裏を濡らしてしまい難くなる。また、前記足底部１の上面１ａは、上方開口３ａの部分以外を略平面にして使用者の足裏に沿うようにしているので、履き心地の良いものとなる。
【００２１】
前記足甲部２は、厚さを１〜２ｍｍとしたＥＶＡなどの合成樹脂からなるシート状体として、前記足底部１と一体に成形するなどして、足底部１の上方に設けられている。そして、この足甲部２には、側面に楕円形とした複数個の通気孔７を設けたり、上面に花模様等をあしらった複数個の通気孔８を設けたものとしている。
【００２２】
なお、前記足甲部２は、図示したものでは、使用者の足先から足の甲までのすべてを覆うものとしているが、足の甲の一部のみを覆うものとしてもよい。このような場合には、前記通気孔５、６は設けなくてもよい。
【００２３】
以上に述べたように構成されたこの考案のスリッパは、ベランダ、バルコニー、テラスなどで降雨時以外のときに履いた場合には、貫通孔３や通気孔７、８の存在によって通気性が非常に良くなり、足の裏が蒸れるようなことはない。そして、前記貫通孔３の上方開口３ａを横長孔として、足底部１の幅方向に間隔をあけて、略等間隔に複数個を平行に配して設けたものとしており、これら上方開口３ａの部分以外を略平面にして使用者の足裏に沿うようにしているので、使用者の足裏との当たりが弱くなり、履き心地の良いものとなる。
【００２４】
さらに、この考案のスリッパは、上記の場所で濡れた足で履いた場合には、その足に付着した水分が貫通孔３の上方開口３ａに入り、下方開口３ｂまで流れ、下方開口３ｂから凹部５へ流されると共に、排水溝６を経てスリッパの外方へ流されるので、水捌けが非常に良いものとなり、足底部１の上面１ａが滑りにくいものとなり、また濡れた足が乾き易くなる。また、これらの場所に溜まっている水を踏んだ場合に、下方開口３ｂから貫通孔３に入っても上方開口３ａ側へは流れ難くなり、その水で使用者の足裏を濡らしてしまうようなこともない。
【００２５】
さらに、この考案のスリッパは、上記の場所で非常に激しい降雨時に履いた場合には、降雨で濡れた足に付着した雨水が、足を伝わって、貫通孔３の上方開口３ａに入り、前記したのと同じようにしてスリッパの外方へ流されるので、水捌けが非常に良いものとなり、足底部１の上面１ａが滑りにくいものとなり、またこれらの場所に溜まった雨水は、下方開口３ｂから貫通孔３に入っても上方開口３ａ側へは流れ難くなり、使用者の足裏を濡らしてしまうようなこともない。
【図面の簡単な説明】
【００２６】
【図１】この考案のスリッパの一実施形態を示す斜視図である。
【図２】図１に示すこの考案のスリッパの側面図である。
【図３】図１に示すこの考案のスリッパの平面図である。
【図４】図１に示すこの考案のスリッパの底面図である。
【図５】図２中のＡ−Ａ線によるこの考案のスリッパの断面図である。
【図６】図２中のＢ−Ｂ線によるこの考案のスリッパの断面図である。
【図７】図２中のＣ−Ｃ線によるこの考案のスリッパの断面図である。
【図８】図３中のＤ−Ｄ線によるこの考案のスリッパの断面図である。
【図９】従来のスリッパの一例を示す斜視図である。
【図１０】図９に示す従来のスリッパの底面図である。
【図１１】従来のスリッパの他の例を示す斜視図である。
【図１２】図１１に示す従来のスリッパの断面図である。
【符号の説明】
【００２７】
１  足底部
１ａ  上面
１ｂ  下面
３  貫通孔
３ａ  上方開口
３ｂ  下方開口
４  周縁部
５  凹部
６  排水溝
【図１】
0003147171.tif 000003
【図２】
0003147171.tif 000004
【図３】
0003147171.tif 000005
【図４】
0003147171.tif 000006
【図５】
0003147171.tif 000007
【図６】
0003147171.tif 000008
【図７】
0003147171.tif 000009
【図８】
0003147171.tif 000010
【図９】
0003147171.tif 000011
【図１０】
0003147171.tif 000012
【図１１】
0003147171.tif 000013
【図１２】
0003147171.tif 000014